(57)【要約】      （修正有）【課題】カバーが開けられた際に化粧品が飛散することが防がれた化粧品ケースを提供する。【解決手段】化粧品を収納するための空間であって上方に開口を有する収納空間１０をその内周壁と底壁とにより画成するケース本体１と、ケース本体１の開口を開閉自在に閉じるカバー２と、収納空間１０に入れられる押圧部材３とを具え、押圧部材３は、板状体３１と、カバー２が閉じられた時にカバー２と板状体３１との間に位置して両端がカバー２と板状体３１とにそれぞれ当接して板状体３１をケース本体１の底壁の方へ付勢させることができるように構成された突出体３２と、を有することを特徴とする。【選択図】図３
0003196757.tif 000002
【実用新案登録請求の範囲】
【請求項１】
化粧品を収納するための空間であって上方に開口を有する収納空間をその内周壁と底壁とにより画成するケース本体と、
前記ケース本体の前記開口を開閉自在に閉じるカバーと、
前記収納空間に入れられる押圧部材と、を具え、
前記押圧部材は、
板状体と、
前記カバーが閉じられた時に前記カバーと前記板状体との間に位置して両端が前記カバーと前記板状体とにそれぞれ当接して前記板状体を前記ケース本体の前記底壁の方へ付勢させることができるように構成された突出体と、を有することを特徴とする化粧品ケース。
【請求項２】
前記カバーは、
前記ケース本体の前記開口を開閉自在に閉じるカバー本体と、
前記カバー本体の前記ケース本体に面する側に設けられていて前記カバーが閉じられた時に前記収納空間に入れられた前記押圧部材の前記突出体を弾性的に押圧する弾性パッドと、を有する
ことを特徴とする請求項１に記載の化粧品ケース。
【請求項３】
前記板状体は、前記収納空間に入れられた時にその周縁が前記ケース本体の前記内周壁に接する
ことができるように形成されたものであることを特徴とする請求項２に記載の化粧品ケース。
【請求項４】
前記収納空間は、
前記開口に近い側の上方スペースと、
前記上方スペースから前記ケース本体の前記底壁に向かって尻すぼまりになっていて化粧品が収納される下方スペースと、を含み、
前記板状体は、前記収納空間に入れられた時にその周縁が前記ケース本体の前記上方スペースと前記下方スペースとの境界部における前記内周壁に接することができるように形成されたものである
ことを特徴とする請求項３に記載の化粧品ケース。
【請求項５】
前記突出体は、前記板状体と前記弾性パッドとの少なくともいずれか１つに固定されている
ことを特徴とする請求項２〜請求項４のいずれか一項に記載の化粧品ケース。
【請求項６】
前記突出体は、一端が前記弾性パッドに固定されており、
前記板状体には、前記弾性パッドに面する側に突起するタブが設けられている
ことを特徴とする請求項２〜請求項４のいずれか一項に記載の化粧品ケース。
【請求項７】
前記板状体には、その周縁から前記弾性パッドに面する側に環状に突起する環状壁が更に設けられている
ことを特徴とする請求項６に記載の化粧品ケース。
【請求項８】
前記カバー本体と前記ケース本体との開閉が、前記カバー本体と前記ケース本体との螺合によりなされるように構成されている
ことを特徴とする請求項２〜請求項７のいずれか一項に記載の化粧品ケース。
【請求項９】
前記カバー本体は、
前記ケース本体の前記開口を覆う天板部と、
前記ケース本体の前記開口の周囲部分と螺合できるように前記天板部の周縁から延伸して形成された螺合部と、
前記天板部および前記螺合部により囲まれて画成されており前記弾性パッドが収められる収容槽と、を有し、
前記カバー本体が前記ケース本体と螺合されると、前記弾性パッドが前記ケース本体の前記開口の周囲部分の上端に当接する
ことを特徴とする請求項８に記載の化粧品ケース。
【考案の詳細な説明】
【技術分野】
【０００１】
本考案は、容器に関し、特には化粧品を収めるのに適した化粧品ケースに関する。
【背景技術】
【０００２】
一般に、化粧品ケースは、化粧品を入れる収納空間を有するケース本体と、その収納空間を覆うカバーとからなり、カバーとケース本体の開閉は、カバーとケース本体とが別々に設けられたねじ式のものと、カバーとケース本体がヒンジ接続されたヒンジ式のもの（いわゆるコンパクト）とがある。このような化粧品ケースは、例えばパウダーやペーストなどの流動状の化粧品が詰められた上でカバーが閉じられた状態で、持ち運びされる。
【考案の概要】
【考案が解決しようとする課題】
【０００３】
しかし、従来の化粧品ケースは、化粧品を詰めた状態においても、収納空間のうち化粧品が詰められていない遊びのスペースがあるので、持ち運びの過程で、例えばポーチやバッグの中で化粧品ケースが揺られると、化粧品が収納空間で振り動いてカバー側に化粧品が多く付着する。これにより、その後カバーを開けた際に、粉が舞うと言われるように、カバー側に付いた化粧品が飛散することがある。このような不便は、化粧品の使用と共にケース本体内の化粧品の量が減ってきて上記の遊びのスペースが増えるとより顕著となる。
【０００４】
本考案は、上記従来の化粧品ケースの使用上の不便に鑑みてなされたものであり、その目的は、化粧品ケースが揺られたり振られたりした後にカバーが開けられても、化粧品が飛散することが防がれた化粧品ケースの提供にある。
【課題を解決するための手段】
【０００５】
上記目的を達成するための手段として、本考案は、以下の化粧品ケースを提供する。
【０００６】
即ち、化粧品を収納するための空間であって上方に開口を有する収納空間をその内周壁と底壁とにより画成するケース本体と、前記ケース本体の前記開口を開閉自在に閉じるカバーと、前記収納空間に入れられる押圧部材とを具え、その内、前記押圧部材は、板状体と、前記カバーが閉じられた時に前記カバーと前記板状体との間に位置して両端が前記カバーと前記板状体とにそれぞれ当接して前記板状体を前記ケース本体の前記底壁の方へ付勢させることができるように構成された突出体とを有することを特徴とする化粧品ケースを提供する。
【考案の効果】
【０００７】
上記手段によれば、前記カバーが閉じられた状態では、前記板状体が前記ケース本体の前記底壁の方へ押されているので、前記収納空間に収納された化粧品が前記板状体に押さえつけられる。これにより、化粧品が前記収納空間で振り動くことがなくまた化粧品が前記カバー側に付着することもなくなるので、化粧品ケースが揺られたり振られたりした後にカバーが開けられても、化粧品が飛散することが防がれる。
【図面の簡単な説明】
【０００８】
【図１】本考案に係る化粧品ケースの第１の実施形態を示す分解斜視図である。
【図２】上記第１の実施形態を示す分解断面図である。
【図３】上記第１の実施形態を示す組み立て断面図である。
【図４】本考案に係る化粧品ケースの第２の実施形態を示す分解斜視図である。
【図５】上記第２の実施形態を示す分解断面図である。
【図６】上記第２の実施形態を示す組立て断面図である。
【考案を実施するための形態】
【０００９】
本考案に係る化粧品ケースは、パウダー状やペースト状の化粧品を収めて持ち運ぶのに適したものであり、化粧品８を収めるケース本体１と、ケース本体１を覆うカバー２と、化粧品８を押さえるためにケース本体１内に入れられる押圧部材３とを具える。
【００１０】
以下、添付図面を参照しながら、本考案に係る化粧品ケースを具体的な実施形態ごとに詳細に説明する。
【００１１】
（第１の実施形態）
図１、図２、図３には、本考案に係る化粧品ケースの第１の実施形態が示されている。
【００１２】
ケース本体１は、化粧品８を収納するための空間であって上方に開口を有する収納空間１０を、その（即ちケース本体１の）内周壁と底壁とにより画成するように形成されている。
【００１３】
収納空間１０は、図３に示されているように、上記開口に近い側の上方スペース１０１と、上方スペース１０１からケース本体１の底壁に向かって尻すぼまりになっていて化粧品８を受け入れる下方スペース１０２とを含む。
【００１４】
カバー２は、ケース本体１の上記開口を開閉自在に閉じるカバー本体２１と、カバー本体２１のケース本体１に面する側（下側）に設けられていて弾性を有する弾性パッド２２とを有する。
【００１５】
本実施形態では、カバー２のケース本体１に対する開閉は、図示のように、ねじ式となっている。具体的に言うと、ケース本体１の上記開口の周囲部分にはねじが切られており、一方、カバー本体２１は、ケース本体１の上記開口を覆う天板部２１１と、天板部２１１の周縁から下垂するように延伸して形成された螺合部２１２とを有しており、螺合部２１２の内周壁に、ケース本体１の上記開口の周囲部分のねじと螺合できるねじが切られている。また、カバー本体２１には、天板部２１１および螺合部２１２により囲まれて収容槽２１３が画成されており、弾性パッド２２はこの収容槽２１３に収められている。
【００１６】
カバー本体２１がケース本体１と螺合されると、つまりケース本体１の上記開口の周囲部分のねじとカバー２の螺合部２１２が螺合されると、弾性パッド２２がケース本体１の上記開口の周囲部分の上端に当接し、収納空間１０が密閉される。
【００１７】
なお、カバー２のケース本体１に対する開閉は、本実施形態のようにケース本体１とカバー２とが別々に設けられたねじ式に限る必要は無く、例えば、カバー本体２１とケース本体１とをヒンジによって開閉自在に連結したヒンジ式（いわゆるコンパクト）とすることも可能である。
【００１８】
押圧部材３は、ケース本体１の収納空間１０に入れられるように構成されたものであり、収納空間１０内で化粧品８を押さえつけるための板状体３１と、カバー２が閉じられた時にカバー２の弾性パッド２２と板状体３１との間に位置し、両端が弾性パッド２２と板状体３１とにそれぞれ当接して板状体３１をケース本体１の上記底壁（即ち収容空間１０の下方スペース１０２の底部）の方へ付勢させることができるように構成された突出体３２とを有する。
【００１９】
押圧部材３の突出体３２は、本実施形態では図示のように柱状に形成されており、その両端が、カバー２の弾性パッド２２と、板状体３１とにそれぞれ固定されている。より詳しく言うと、突出体３２は、その柱状形状の長さ方向の両端である一端３２１と他端３２２とを有し、一端３２１が弾性パッド２２の中心部に、他端３２２が板状体３１の中心部にそれぞれ連結されている。
【００２０】
板状体３１は、本実施形態において円盤型であり、収納空間１０に入れられた時にその周縁がケース本体１の上方スペース１０１と下方スペース１０２との境界部における内周壁に密接することができるように形成されたものを用いた（図３参照）。即ち、板状体３１は、その直径が、下方スペース１０２の最大直径よりも大きく且つ上方スペース１０１の直径とほぼ等しいか僅かに大きくなるように形成されている。
【００２１】
なお、本実施形態では、押圧部材３として、板状体３１と突出体３２とが一体形成されたものを用いており、板状体３１の一端３２１の弾性パッド２２への固定は粘着によりなされている。この粘着の方法としては接着剤を用いてもよく、または、板状体３１の一端３２１を加熱することによる加熱溶着を用いてもよい。また他の実施例として、押圧部材３全体と弾性パッド２２とが一体形成されたものを用いてもよい。
【００２２】
以下、上記構造を有する本実施形態の化粧品ケースの使用方法を説明する。なお化粧品ケースは、ケース本体１にカバー２が閉められた状態とする。
【００２３】
まず、カバー２をケース本体１から外し、収納空間１０の開口を露出させる。
【００２４】
次に、化粧品８を下方スペース１０２を満たすように収納空間１０に詰める。
【００２５】
続いて、カバー２をケース本体１に被せて螺合させる。すると、板状体３１の周縁がケース本体１の収納空間１０に面する内周壁に密接するようになると共に、詰められた化粧品８の上に板状体３１が被さる。
【００２６】
このように、カバー２が閉められている間は、板状体３１が化粧品８を押さえつけるようになるので、例えこの状態で本考案に係る化粧品ケースが揺すられたり振られたりしても、化粧品８が振り動かない。これにより、カバー２を開けた時に、化粧品８が飛び散るといった問題が防がれる。しかも、弾性パッド２２の弾性により、板状体３１は化粧品８を弾性的に押さえつけるので、化粧品８の使用に連れて収容空間１０における化粧品８の残量が多少減っても、板状体３１は化粧品８を押さえ続けることができる。
【００２７】
なお、本実施形態では突出体３２をその両端が弾性パッド２２と板状体３１とにそれぞれ固定されるように構成したが、本実施形態の他例として、突出体３２を板状体３１のみに、または、弾性パッド２２のみに固定されるよう構成することも可能である。
【００２８】
（第２の実施形態）
図４、図５、図６には、本考案に係る化粧品ケースの第２の実施形態が示されている。本実施形態は上述した第１の実施形態に類似するが、押圧部材３の構成が異なる。以下、その異なる点を説明する。
【００２９】
本実施形態において、押圧部材３の突出体３２は弾性パッド２２のみに固定されている。即ち、突出体３２は、一端３２１が弾性パッド２２に固定されていると共に他端３２２が下方に突出してカバー２が閉じられた際に板状体３１に当接することができるように形成されている。
【００３０】
板状体３１は、第１の実施形態と同様に円盤型であるが、本実施形態では更にその周縁から弾性パッド２２に面する側（上側）に環状に突起する環状壁３１３と、その上面から弾性パッド２２に面する側に突起するタブ３１２とが設けられている。
【００３１】
タブ３１２は、板状体３１の上面においてカバー２が閉じられた際に突出体３２と重ならない位置にあり、板状体３１と一体に形成されている。
【００３２】
本実施形態の化粧品ケースによっても、押圧部材３の突出体３２がカバー２の弾性パッド２２と板状体３１との間に位置してその両端が弾性パッド２２と板状体３１とにそれぞれ当接するので使用の際には、収納空間１０に化粧品８が入れられた上で板状体３１を収納空間１０に入れた状態でカバー２を閉じれば、弾性パッド２２の弾性により突出体３２が板状体３１を弾性的に押圧し、板状体３１が化粧品８を弾性的に押さえつけるようにすることができ、第１の実施形態と同様の効果を得ることができる。
【００３３】
また、カバー２を開けた際には、板状体３１が収納空間１０に残るが、タブ３１２をつまみ上げることで、板状体３１を取り除き、ケース本体１の開口を露出させることができる。
【００３４】
上記のように、いずれの実施形態にしろ、本考案に係る化粧品ケースによれば、カバー２が閉じられた状態では、弾性パッド２２と突出体３２の介在により、板状体３１がケース本体１の上記底壁の方へ付勢されるので、収納空間１０に収納された化粧品８が板状体３１に弾性的に押さえつけられる。これにより、化粧品８が収納空間１０で振り動くことがなくなりまた化粧品８がカバー２側に付着することもなくなるので、化粧品ケースが揺られたり振られたりした後にカバー２が開けられても、化粧品８が飛散することが防がれる。
【００３５】
以上、本考案の好ましい実施形態を説明したが、本考案はこれに限定されるものではなく、その要旨を逸脱しない範囲で種々変更可能である。
【産業上の利用可能性】
【００３６】
本考案に係る化粧品ケースは、カバーを開けた際に中身が飛び散ることを防ぐことができるので、例えばフェイスパウダー（いわゆるルースパウダーや、多少踏み固められたプレストパウダーを含む）などのパウダー状の化粧品、或いはリップグロス、アイシャドー、ジェルアイライナーといったペースト状の化粧品を販売時に収めるケースとすることも、或いはエンドユーザーに供して例えば詰め替え用の化粧品を入れるケースとすることもでき有用である。
【符号の説明】
【００３７】
１              ケース本体
１０            収納空間
１０１          上方スペース
１０２          下方スペース
２              カバー
２１            カバー本体
２１１          天板部
２１２          螺合部
２１３          収容槽
２２            弾性パッド
３              押圧部材
３１            板状体
３１２          タブ
３１３          環状壁
３２            突出体
３２１          一端
３２２          他端
８              化粧品
【図１】
0003196757.tif 000003
【図２】
0003196757.tif 000004
【図３】
0003196757.tif 000005
【図４】
0003196757.tif 000006
【図５】
0003196757.tif 000007
【図６】
0003196757.tif 000008